【手続補正書】
【提出日】平成16年4月8日(2004.4.8)
【手続補正１】
【補正対象書類名】明細書
【補正対象項目名】請求項１
【補正方法】変更
【補正の内容】
【請求項１】
入力信号（ｘ（ｎ））の引き続くフレーム中の雑音を低減する方法であって、下記のステップ、
‐周波数領域へ変換することにより入力信号（ｘ（ｎ））のスペクトラム（Ｘ（ｋ，ｆ））を計算することと、
‐周波数依存雑音レベル評価子を得ることと、
‐そのフレームに対する第１の有用な周波数依存信号レベル評価子を計算することと、
‐第１の雑音低減フィルタの伝達関数
【数１】
2004520616.tif 000001
を、第１の有用な周波数依存信号レベル評価子および周波数依存雑音レベル評価子を基にして計算することと、
‐入力信号のスペクトラムと第１の雑音低減フィルタの伝達関数を組合わせることにより、そのフレームに対する第２の有用な周波数依存信号レベル評価子を計算することと、
‐第２の雑音低減フィルタの伝達関数
【数２】
2004520616.tif 000002
を、第２の有用な周波数依存信号レベル評価子および周波数依存雑音レベル評価子を基にして計算することと、
‐雑音が低減された信号を生ずるために、フレーム濾波操作で第２の雑音低減フィルタの伝達関数を使用することと、
をフレームの少なくともいくつかに対して備える、入力信号（ｘ（ｎ））の引き続くフレーム中の雑音を低減する方法。
【手続補正２】
【補正対象書類名】明細書
【補正対象項目名】請求項３
【補正方法】変更
【補正の内容】
【請求項３】
雑音低減フィルタ・インパルス応答
【数３】
2004520616.tif 000003
が、第２の雑音低減フィルタの伝達関数
【数４】
2004520616.tif 000004
の時間領域への変換を基にして、現在のフレームに対して決定され、その時間領域内のフレームに対する濾波操作が前記フレームに対して決定された雑音低減フィルタ・インパルス応答により実行される請求項１または２に記載の方法。
【手続補正３】
【補正対象書類名】明細書
【補正対象項目名】請求項４
【補正方法】変更
【補正の内容】
【請求項４】
現在のフレームに対する雑音低減フィルタ・インパルス応答
【数５】
2004520616.tif 000005
の決定が、
‐第２の雑音低減フィルタの伝達関数
【数６】
2004520616.tif 000006
を時間領域へ変換し第１のインパルス応答を得るステップと、
‐第１のインパルス応答を、時間領域への変換の点の数より十分少ない標本数に対応する打ち切り長さに打ち切るステップと、
を備えている請求項３に記載の方法。
【手続補正４】
【補正対象書類名】明細書
【補正対象項目名】請求項５
【補正方法】変更
【補正の内容】
【請求項５】
現在のフレームに対する雑音低減フィルタ・インパルス応答
【数７】
2004520616.tif 000007
の決定が、
‐打ち切られている第１のインパルス応答に、前記打ち切り長さに対応する標本の数で、ウィンドウ化関数（ｗfilt（ｎ））により重み付けするステップ、
を更に備えている請求項４に記載の方法。
【手続補正５】
【補正対象書類名】明細書
【補正対象項目名】請求項６
【補正方法】変更
【補正の内容】
【請求項６】
現在のフレームが複数のサブフレームに細分され、各サブフレームに対して補間されたインパルス応答
【数８】
2004520616.tif 000008
は、現在のフレームに対して決定された雑音低減フィルタ・インパルス応答と、少なくとも１つの以前のフレームに対して決定された雑音低減フィルタ・インパルス応答とを基にして計算され、フレームの濾波操作が、時間領域内の各サブフレームの信号を、前記サブフレームに対して計算された補間されたインパルス応答に従って濾波することを含む請求項３から請求項５のいずれか１項に記載の方法。
【手続補正６】
【補正対象書類名】明細書
【補正対象項目名】請求項１０
【補正方法】変更
【補正の内容】
【請求項１０】
‐周波数領域への変換により入力信号のフレームのスペクトラム（Ｘ（ｋ，ｆ））を計算する手段（１〜３）と、
‐周波数依存雑音レベル評価子を得る手段（５）と、
‐そのフレームに対する第１の有用な周波数依存信号レベル評価子を計算する手段（１１）と、
‐第１の雑音低減フィルタの伝達関数
【数１５】
2004520616.tif 000009
を、第１の有用な周波数依存信号レベル評価子および周波数依存雑音レベル評価子を基にして計算する手段（１３）と、
‐入力信号のスペクトラムと第１の雑音低減フィルタの伝達関数を組合わせることにより、フレームに対する第２の有用な周波数依存信号レベル評価子を計算する手段（１４〜１５）と、
‐第２の雑音低減フィルタの伝達関数
【数１６】
2004520616.tif 000010
を、第２の有用な周波数依存信号レベル評価子および周波数依存雑音レベル評価子を基にして計算する手段（１６）と、
‐雑音が低減されている信号を生ずるためにフレームを第２の雑音低減フィルタの伝達関数により濾波する手段（７〜９）と、
を備える入力信号（ｘ（ｎ））中の雑音を低減する装置。
【手続補正７】
【補正対象書類名】明細書
【補正対象項目名】請求項１２
【補正方法】変更
【補正の内容】
【請求項１２】
現在のフレームに対する雑音低減フィルタ・インパルス応答
【数１７】
2004520616.tif 000011
を、第２の雑音低減フィルタの伝達関数
【数１８】
2004520616.tif 000012
の時間領域への変換を基にして決定する手段（７〜８）を備え、この装置において濾波手段（９）は現在のフレームに対して決定された雑音低減フィルタ・インパルス応答によりその時間領域内で動作する請求項１０または１１に記載の装置。
【手続補正８】
【補正対象書類名】明細書
【補正対象項目名】請求項１３
【補正方法】変更
【補正の内容】
【請求項１３】
現在のフレームに対する雑音低減フィルタ・インパルス応答
【数１９】
2004520616.tif 000013
を決定する手段が、第１のインパルス応答を得るために、第２の雑音低減フィルタの伝達関数
【数２０】
2004520616.tif 000014
を時間領域へ変換する手段（７）と、第１のインパルス応答を、時間領域への変換の点の数より十分少ない標本数に対応する打ち切り長さに打ち切る手段（８）とを備えている請求項１２に記載の装置。
【手続補正９】
【補正対象書類名】明細書
【補正対象項目名】請求項１４
【補正方法】変更
【補正の内容】
【請求項１４】
現在のフレームに対する雑音低減フィルタ・インパルス応答を決定する手段が、打ち切られている第１のインパルス応答に、前記打ち切り長さに対応する標本の数で、ウィンドウ化関数（ｗfilt（ｎ））により重み付けする手段（８）を備えている請求項１３に記載の装置。
【手続補正１０】
【補正対象書類名】明細書
【補正対象項目名】請求項１５
【補正方法】変更
【補正の内容】
【請求項１５】  現在のフレームを複数のサブフレームに細分する手段と、各サブフレームに対して補間されたインパルス応答
【数２１】
2004520616.tif 000015
を、現在のフレームに対して決定された雑音低減フィルタ・インパルス応答
【数２２】
2004520616.tif 000016
と、少なくとも１つの以前のフレームに対して決定された雑音低減フィルタ・インパルス応答とを基にして計算する手段（２１）とを更に備え、濾波手段（９）は、時間領域内の各サブフレームの信号を、前記サブフレームに対して計算された補間されたインパルス応答に従って濾波する手段（２３）を備えている請求項１２から請求項１４のいずれか１項に記載の装置。
【手続補正１１】
【補正対象書類名】明細書
【補正対象項目名】請求項１７
【補正方法】変更
【補正の内容】
【請求項１７】
現在のフレームのｉ番目（１≦ｉ≦Ｎ）のサブフレームに対して計算された補間されたインパルス応答
【数２６】
2004520616.tif 000017
は、以前のフレームに対して決定された雑音低減フィルタ・インパルス応答
【数２７】
2004520616.tif 000018
の（Ｎ−ｉ）／Ｎ倍、プラス現在のフレームに対して決定された雑音低減フィルタ・インパルス応答
【数２８】
2004520616.tif 000019
のｉ／Ｎ倍に等しく、Ｎは現在のフレームのサブフレームの数である請求項１６に記載の装置。